(57)【特許請求の範囲】
【請求項１】
表紙と第１封筒表紙が切り離し可能に連接された第１紙片と、写真貼付台紙と第２封筒表紙が切り離し可能に連接された第２紙片と、複数枚の紙片からなり複写方式となっている申込書と、記入例記載紙片とを備え、第１紙片、第２紙片、申込書、記入例記載紙片の順で揃え、第１紙片を構成する表紙の端縁と申込書を構成する複数枚の紙片の端縁と記入例記載紙片の端縁にて接着することにより綴じ接着部を形成し、当該綴じ接着部にて第１紙片と申込書と記入例記載紙片を一体化し、第１紙片を構成する第１封筒表紙に第２紙片を構成する第２封筒表紙を貼り合わせることにより第１紙片と第２紙片を一体化するとともに第１封筒表紙と第２封筒表紙により前記綴じ接着部を向いた開口部を備えた袋状の封筒を形成し、第２紙片を構成する写真貼付台紙の切り離し可能に連接された側とは反対側の端は前記綴じ接着部には達することなく開放されており、前記写真貼付台紙面に位置決めシールが剥離可能に貼着された構成からなることを特徴とする写真入り媒体用申込書。
【請求項２】
前記位置決めシールが、周辺領域が単一色に着色された写真トリミング用窓とメッセージ欄と氏名記入欄を有することを特徴とする請求項１記載の写真入り媒体用申込書。
【発明の詳細な説明】
【０００１】
【産業上の利用分野】
本発明はカード等の写真入り媒体の申込書に関する。
【０００２】
【従来の技術】
従来、本人の顔写真をプリントしたカード等の申込みを行う場合には、本人の希望する写真を所定の大きさにカットしてカード申込書に添付されている写真貼付紙片に貼着して提出する方式がとられていたが、この方法の場合には、写真貼付紙片に貼着されている写真の画像を取り込み、画面上で画像を処理してプリンタにてカード等に出力されるので、条件の指定やトリミングに時間と手間がかかるとともに、申込者においても使用した写真の再利用ができないという欠点があった。
これらの欠点を改良した申込書として、特開平８−３１０１６５号公報に記載されているような、申込書に添付した写真のプリントしたい領域を指定する位置決めシールを備えたものがあるが、この場合には、申込者側での写真のプリントする領域の指定は簡単で且つ写真の再利用は可能であり、銀行等においては写真をプリントするための画像処理が簡素化できるのであるが、最近ではカード等に写真と一緒にメッセージをプリントするのが普及しており、メッセージをプリントする場合には、画像処理と別系統での入力処理が必要となるのでメッセージのプリントに手間がかかるという欠点がある。また、顧客の指定した写真およびメッセージをカード等の媒体にプリントする際に、申込書、写真、媒体等を一式取り揃えてプリント処理を実施する部署に回付させる際に書類等が散逸するおそれがあるという欠点がある。
【０００３】
【発明が解決しようとする課題】
本発明は、申込者は写真のプリントする領域の指定が簡単で且つ写真の再利用が可能であるとともに、銀行等においては媒体に写真およびメッセージをプリントする処理が簡略化でき、また顧客への送付時および銀行内での処理工程において必要な部材の散逸を防ぎ、混同、錯誤による差し違えの処理ミスを防ぐことができる写真入り媒体用申込書を提供することである。
【０００４】
【課題を解決するための手段】
表紙と第１封筒表紙が切り離し可能に連接された第１紙片と、写真貼付台紙と第２封筒表紙が切り離し可能に連接された第２紙片と、複数枚の紙片からなり複写方式となっている申込書と、記入例記載紙片とを備え、第１紙片、第２紙片、申込書、記入例記載紙片の順で揃え、第１紙片を構成する表紙の端縁と申込書を構成する複数枚の紙片の端縁と記入例記載紙片の端縁にて接着することにより綴じ接着部を形成し、当該綴じ接着部にて第１紙片と申込書と記入例記載紙片を一体化し、第１紙片を構成する第１封筒表紙に第２紙片を構成する第２封筒表紙を貼り合わせることにより第１紙片と第２紙片を一体化するとともに第１封筒表紙と第２封筒表紙により前記綴じ接着部を向いた開口部を備えた袋状の封筒を形成し、第２紙片を構成する写真貼付台紙の切り離し可能に連接された側とは反対側の端は前記綴じ接着部には達することなく開放されており、前記写真貼付台紙面に位置決めシールが剥離可能に貼着された構成の写真入り媒体用申込書とすることにより、位置決めシールによりプリントしたい写真の領域を指示することができるので写真をカットする必要がなくなり写真の再利用が可能となる、封筒が添付されているので銀行等の内部において必要な書類や媒体等を封筒に入れて所定の部署に回付することにより書類等の散逸を防止できる、プリントが完了したカード等の媒体を封筒に入れて顧客に送付することができる、写真入り媒体用申込書の各部材が一体化されているので欠落ないしは散逸を防止することができる、等の効果がある。
【０００５】
さらに、上記の構成とすることにより、４部材ないしは３部材を使用して大型の丁合機に１回通すだけで加工することが可能となるので大幅なコストダウンが図れる。
【０００６】
上記の写真入り媒体用申込書において、位置決めシールが周辺領域が単一色に着色された写真トリミング用窓とメッセージ欄と氏名記入欄を有する構成とすることにより、カード等の媒体に写真およびメッセージをプリントする際に写真をトリミングする手間を簡略化できるとともに、メッセージを写真と同様に画像として一括処理できるのでプリント作業を合理化できる。また、写真トリミング用窓とメッセージ欄と氏名記入欄の周辺領域が単一色に着色しているので、ソフト上でその色を指定するだげで自動的に出力領域を指定することができる。
【０００７】
【発明の実施の形態】
以下、図面を引用して本発明の実施の形態を説明する。
図１は本発明の第１実施形態を示す分解した状態の斜視図、図２は位置決めシールの平面図、図３は本発明の第２実施形態を示す分解した状態の斜視図であって、１は記入例記載紙片、２は申込書、３は写真貼付台紙、４は位置決めシール、4'は位置決めシール台紙、５は封筒、5aは封筒表紙、5bは封筒裏紙、5cは封緘片、5dは両面粘着テープ、5eは封筒接着部、６は表紙、7a, 7b, 7c, 7dはミシン目、８は綴じ接着部、９は切目、11はメッセージ欄、12は写真トリミング用窓、13は氏名記入欄、14は単一色着色部をそれぞれ表す。
【０００８】
本発明の第１実施形態の構成は図１に示すとおりであり、記入例記載紙片１と、申込書２と、写真貼付台紙３と位置決めシール４がミシン目7bにて切り取り可能に連接された紙片と、表紙６と封筒５がミシン目7cにて切り取り可能に連接された紙片の４部材から構成されており、それらの４部材が一方の端縁の綴じ接着部９にて接着して綴じられた構成である。記入例記載紙片１には記入例および位置決めシール４の使用方法が記載されるとともに宣伝および広告が印刷されている。申込書２は複数枚からなり複写方式となっている。位置決めシール４は位置決めシール台紙4'に貼着されており、位置決めシール台紙4'は写真貼付台紙３にミシン目7bにて切り取り可能に連接されている。写真貼付台紙３には写真の角部を嵌め込んで固定するための４か所の切目９が形成されている。封筒５は封筒表紙5aと封筒裏紙5bとが封筒接着部5eにて接着されて袋状とされ、封筒表紙5aの開口側の端縁は封緘片5cとされ封緘片5cには封緘用の両面粘着テープ5dが接着されてなり、表紙６の端縁に封筒５の封緘片5cの端縁がミシン目7cを介して切り取り可能に連接されている。
【０００９】
位置決めシール４は裏面に弱粘着性の粘着剤が塗布され粘着剤面に離型紙が貼着されている構成の粘着シールである。位置決めシール４は、図２に示すように、メッセージ欄11と写真トリミング用窓12と氏名記入欄13が設けられ、それらの周縁領域は単一色で着色された単一色着色部14とされている。写真トリミング用窓12は位置決めシール４の本体を離型紙から剥離した際に円形状の窓が形成されるようになっている。位置決めシール４の写真トリミング用窓12にてプリントしたい写真の領域を区画するように写真に貼りつけて使用される。
【００１０】
メッセージ欄11と写真トリミング用窓12と氏名記入欄13の周縁領域は単一色で着色された単一色着色部14とされているので、画像処理に際しその色を指定するだけで自動的に出力領域の位置合わせができるとともに、プリントする写真の領域を指定する写真トリミング用窓12と隣接してメッセージ欄11が設けられているので、メッセージ欄11に記入されたメッセージをイメージとして、写真をプリントする際の画像処理において写真と一体でメッセージを取り込むことができるので、写真とメッセージのプリント作業を簡素化することが可能となる。また、氏名記入欄13が設けられているので画像処理の工程にて写真と名前が相違するのを防止できる効果がある。
【００１１】
本発明の第２実施形態の構成は  図３に示すとおり、記入例記載紙片１と、申込書２と、表紙６と封筒５がミシン目7cを介して切り離し可能に連接されるとともに、剥離可能に位置決めシール４が貼着された写真貼付台紙３が封筒５の封筒裏紙5bにミシン目7dを介して連接された紙片からなり、それらの３部材が一方の端縁の綴じ接着部９にて接着して綴じられた構成であり、記入例記載紙片１、申込書２、位置決めシール４、写真貼付台紙３、封筒５の構成は第１実施形態と同じである。第２実施形態は３部材から構成されているので丁合の工程がより簡略化することが可能となる。第１、第２実施形態の写真入り媒体用申込書は、記入例記載紙片１を内側にして２つ折りし表紙６が表面となる状態で顧客に配付されるものである。
【００１２】
顧客が申込みを行う際には、申込書２に必要事項を記入するとともに、位置決めシール４のメッセージ欄11にプリントしたいメッセージを記入し、氏名記入欄13に氏名を記入する。プリントしたい写真を写真貼付台紙３の切目９に写真の角部を嵌め込んで固定し、位置決めシール４の本体を離型紙から剥離させて、写真貼付台紙３に固定された写真に、位置決めシール４の写真トリミング用窓12にてプリントしたい写真の領域を区画するように貼りつけて、写真入り媒体用申込書を銀行等に提出する。上記のように位置決めシール４を使用することによりプリントしたい写真の領域を切り取ることなしに写真をトリミングして写真のプリントしたい領域を指示することができる。申込書に使用した写真は再利用することができる。
【００１３】
写真入り媒体用申込書を受け取った銀行等においては、申込書２をミシン目7aにて切り取り、写真貼付台紙３をミシン目7bにて位置決めシール台紙4'から切り取るかないしはミシン目7dにて封筒裏紙5bから切り取り、封筒５をミシン目7cにて表紙６から切り取り、申込書２と写真貼付台紙３と写真をプリントするカード等の媒体とを一式取り揃えて切り取った封筒５に封入して写真のプリント作業を実施する部署に回付する。封筒５を利用して必要とする申込書２と写真貼付台紙３と写真をプリントする媒体とを揃えて回付することにより必要書類等が散逸することがない。また、写真およびメッセージのプリントが完了した媒体を顧客に郵送する場合にもその封筒５を利用することができる。
【００１４】
【発明の効果】
表紙と第１封筒表紙が切り離し可能に連接された第１紙片と、写真貼付台紙と第２封筒表紙が切り離し可能に連接された第２紙片と、複数枚の紙片からなり複写方式となっている申込書と、記入例記載紙片とを備え、第１紙片、第２紙片、申込書、記入例記載紙片の順で揃え、第１紙片を構成する表紙の端縁と申込書を構成する複数枚の紙片の端縁と記入例記載紙片の端縁にて接着することにより綴じ接着部を形成し、当該綴じ接着部にて第１紙片と申込書と記入例記載紙片を一体化し、第１紙片を構成する第１封筒表紙に第２紙片を構成する第２封筒表紙を貼り合わせることにより第１紙片と第２紙片を一体化するとともに第１封筒表紙と第２封筒表紙により前記綴じ接着部を向いた開口部を備えた袋状の封筒を形成し、第２紙片を構成する写真貼付台紙の切り離し可能に連接された側とは反対側の端は前記綴じ接着部には達することなく開放されており、前記写真貼付台紙面に位置決めシールが剥離可能に貼着された構成の写真入り媒体用申込書とすることにより、位置決めシールによりプリントしたい写真の領域を指示することができるので写真をカットする必要がなくなり写真の再利用が可能となる、封筒が添付されているので銀行等の内部において必要な書類や媒体等を封筒に入れて所定の部署に回付することにより書類等の散逸を防止できる、プリントが完了したカード等の媒体を封筒に入れて顧客に送付することができる、写真入り媒体用申込書の各部材が一体化されているので欠落ないしは散逸を防止することができる、等の効果がある。上記の写真入り媒体用申込書において、位置決めシールが周辺領域が単一色に着色された写真トリミング用窓とメッセージ欄と氏名記入欄を有する構成とすることにより、カード等の媒体に写真およびメッセージをプリントする際に写真をトリミングする手間を簡略化できるとともに、メッセージを写真と同様に画像として一括処理できるのでプリント作業を合理化できる。また、写真トリミング用窓とメッセージ欄と氏名記入欄の周辺領域が単一色に着色しているので、ソフト上でその色を指定するだげで自動的に出力領域を指定することができる。さらに、上記の写真入り媒体用申込書において、上記の構成とすることにより、４部材ないしは３部材を使用して大型の丁合機に１回通すだけで加工することが可能となるので大幅なコストダウンが図れる。
【図面の簡単な説明】
【図１】本発明の第１実施形態を示す分解した状態の斜視図。
【図２】位置決めシールの平面図。
【図３】本発明の第２実施形態を示す分解した状態の斜視図。
【符号の説明】
１  記入例記載紙片                ６  表紙
２  申込書                        7a, 7b, 7c, 7d  ミシン目
３  写真貼付台紙                  ８  綴じ接着部
４  位置決めシール                ９  切目
4'  位置決めシール台紙            11  メッセージ欄
５  封筒                          12  写真トリミング用窓
5a  封筒表紙                      13  氏名記入欄
5b  封筒裏紙                      14  単一色着色部
5c  封緘片
5d  両面粘着テープ
5e  封筒接着部
【図１】
0004184525.tif 000002
【図２】
0004184525.tif 000003
【図３】
0004184525.tif 000004